(57)【要約】  【課題】帯前結びを簡単、かつ迅速に行える構造とした上で、着用者個々に異なる胴部のサイズに幅広く対応させる。  【解決手段】二重巻き部２を、手先側２１からたれ側２２に向けて任意の部位で折り畳むことによって、着用者Ａ個々の胴部Ａ１の周囲長に対応する長さの二重状態として構成可能とする。  【選択図】図４
0003110082.tif 000002
【実用新案登録請求の範囲】
【請求項１】
前結びに用いられる帯であって、
帯の手先側の端部からたれ側方向に向かって、胴部に略二巻き可能な長さに相当する長さの二重巻き部を有し、当該二重巻き部は、手先側からたれ側に向けて任意の部位で折り畳むことによって、着用者個々の胴部の周囲長に対応する長さの二重状態として構成可能とされ、さらに、帯の巻き状態を保持する保持手段を設けてなることを特徴とする帯。  
【請求項２】
保持手段は、二重巻き部の任意に設定された長さに対応可能な態様のものであることを特徴とする請求項１に記載の帯。
【請求項３】
たれ部分での帯結びに用いる飾り部を別体に有することを特徴とする請求項１または請求項２いずれか１項に記載の帯。
【考案の詳細な説明】
【技術分野】
【０００１】
本考案は、着物用の帯に関し、詳しくは、帯前結びに好適な帯に関する。
【背景技術】
【０００２】
従来の帯前結びに好適な帯の先行技術文献情報として、たとえば、下記特許文献１のものがある。
この帯は、胴部に巻き付ける部分を、胴部の周囲長に対応する長さの二重構造として縫製されているため、当該二重構造部分を胴部に一周巻き付けることによって、着付けになれていない着用者でも、簡単かつ迅速に二重巻きを構成することができる。
【特許文献１】特開２００４−１１５９４４号（段落〔００１１〕、〔００１７〕〔図１〕〜〔図４〕参照）
【考案の開示】
【考案が解決しようとする課題】
【０００３】
ところで、例示した特許文献１の帯は、胴部に巻き付ける部分が二重構造として縫製されているため、対応サイズ幅が極めて小さいものであり、着用者個々に異なる胴部のサイズに幅広く対応させるという点で改良点が残されている。
【０００４】
そこで、本考案は、帯前結びを簡単、かつ迅速に行える構造とした上で、着用者個々に異なる胴部のサイズに幅広く対応させることを課題とし、この課題を解決する帯の提供を目的とする。
【課題を解決するための手段】
【０００５】
上記目的を達成するために本考案は下記の技術的手段を採用する。
その技術的手段は、前結びに用いられる帯であって、帯の手先側の端部からたれ側方向に向かって、胴部に略二巻き可能な長さに相当する長さの二重巻き部を有し、当該二重巻き部は、手先側からたれ側に向けて任意の部位で折り畳むことによって、着用者個々の胴部の周囲長に対応する長さの二重状態として構成可能にされ、帯の巻き状態を保持する保持手段を設けてなることを特徴とする帯にしたことである（第１考案）。  
【０００６】
前記保持手段は、二重巻き部の任意に設定された長さに対応可能な態様としていることを特徴とする（第２考案）。
本考案における保持手段は、面ファスナ、ホック等が使用できる。
また、二重巻き部における帯裏は着物に対して滑りやすい布地を用いたり、二重巻き部の内側に相当する部位には、可撓性を有する芯板を内装したりすることが好ましい。
また、多様な帯結びを構成するために、たれ部分での帯結びに用いる飾り部を別体に有する（第３考案）ことが好ましい。
【０００７】
第１考案によれば、帯前結びを簡単、かつ迅速に行える構造とした上で、着用者個々に異なる胴部のサイズに幅広く対応することができるとともに、保持手段によって、帯の巻き状態を保持できる。
また、第２考案によれば、二重巻き部の長さが変更されても帯の巻き状態を保持できる。
また、第３考案によれば、たれ部分のみで帯結びができ、さらに、飾り部を用いた帯結びもできるので、多様な帯結びを構成することができる。
【考案を実施するための最良の形態】
【０００８】
以下、本考案を実施するための最良の形態を図面に基づいて詳細に説明する。
図１ないし図３は本発明の帯１を示している。
本形態における帯１は、袋帯を例示している。
【０００９】
帯１は、手先側２１からたれ側部２２に向けて、着用者Ａの胴部Ａ１に略二巻き可能な長さに相当する長さの二重巻き部２を有している。
前記二重巻き部２は、手先側２１からたれ側２２に向けて任意の部位で折り畳むことによって、着用者Ａ個々の胴部Ａ１の周囲長に対応する長さの二重状態として構成される。
【００１０】
符号３は、帯１の巻き状態を保持する保持手段である。
本形態の保持手段３は、面ファスナを用いてなるものである。
具体的には、帯１を折り部１１で折った際における帯表１２の手先側端部面に面ファスナの凹側ファスナ３１を縫着し、同じく帯表１２に、前記凹側ファスナ３１から略胴部一周分の間隔Ｌ１をもって面ファスナの凸側ファスナ３２を縫着している。
さらに、帯裏１３には、前記凸側ファスナ３２から略胴部一周分の間隔Ｌ２をもって面ファスナの凹側ファスナ３３を縫着している。
前記凸側ファスナ３２に係合される凹側ファスナ３１，３３は、着用者Ａの胴部Ａ１の周囲長に合わせて使い分けられるものであり、二重巻き部２の折り畳み位置によって変更される。
なお、符号Ｂは、帯１を折り部１１で折った際に折られた状態を保持するための面ファスナである。
【００１１】
二重巻き部２には、着物２に対して滑りやすく、二重巻き部２における間隔Ｌ１の範囲にサテン地等の布地４を縫着してある。
符号５は、可撓性を有する芯板であり、二重巻き部２の手先側端部寄りの帯表１２に内蔵され、または、帯表１２の裏側に取り付けられている。
符号５１は、芯板５に開孔された小径孔であり、この小径孔５１によって通気性を確保している。
【００１２】
折り畳み位置の範囲Ｌ３は、前記凸側ファスナ３２の手先側縁部(最大周囲長)から、二重巻き部２の凸側ファスナ３２の手先側縁部が凹側ファスナ３１の手先側縁部と合致し、かつ凸側ファスナ３２のたれ側縁部が凹側ファスナ３３のたれ側端部と合致する(最小周囲長)までの範囲である。
すなわち、折り畳み位置を前記の範囲にすることによって、胴部に巻き付ける際に、前記凸側ファスナ３２が前記凹側ファスナ３１，３３のいずれにも合致するようになり、この範囲内で着用者Ａにとって最適な周囲長が決定される。（図４および図６参照）
そして、折り畳み位置が前記範囲であれば、前記布地４が着用者Ａの胴部Ａ１に接触するので、前結び後に帯１を回すことが容易にできる。
【００１３】
次に、前記構成の帯１の締め方を説明する。
本形態の締め方では、面ファスナにおける凹側ファスナ３１と凸側ファスナ３２とが係合する最小周囲長を例示する。
先ず、帯１の二重巻き部２に相当する部位を折り部１１で折った後、当該二重巻き部２を着用者Ａの胴部Ａ１の周囲長に対応する位置で折り畳む。（図３参照）
次に、前記二重巻き部２を、前記保持手段３を前方として胴部Ａ１に巻き付けて、凹側ファスナ３１と凸側ファスナ３２を係合可能な状態とする。（図４参照）
次に、この状態を保持したまま、凹側ファスナ３１と凸側ファスナ３２を係合させて、二重巻き部２を胴部Ａ１に対する巻き付け状態を保持する。（図５参照）
図６に示す状態は、面ファスナにおける凹側ファスナ３３と凸側ファスナ３２とが係合する最小周囲長を例示するものであり、前記二重巻き部２を、前記保持手段３を前方として胴部Ａ１に巻き付けたとき、凹側ファスナ３３と凸側ファスナ３２を係合可能な状態となる。
そして、胴部の前方において帯結びを行い、形を整えて後ろに回すことで完成する。（図示せず）
【００１４】
なお、帯結びの際には、必要に応じて飾り部（図示せず）を用いて変り結びを構成することも任意である。
また、前記飾り部は、目的とする形状の変り結びを構成するために、多様な形状および大きさに縫製されてなるものであり、前記帯と同素材および同柄でもよいし、異なる素材および異なる柄としてもよい。
【００１５】
なお、本考案の帯においては、二重巻き部を折り畳まないで通常通りの一本の帯として使用することができる。
また、本発明では前記した実施例に限定されるものではなく、実用新案登録請求の範囲に記載の各請求項の内容から逸脱しない範囲において変更が可能である。
【図面の簡単な説明】
【００１６】
【図１】本考案に係る帯の平面図。
【図２】本考案にかかる帯を折り部で折った状態を示す平面図。
【図３】二重巻き部を折り畳む状態を示す。
【図４】帯の締め方の行程図。
【図５】帯の締め方の行程図。
【図６】最小周囲長による帯締めを示す。
【符号の説明】
【００１７】
Ａ：着用者
Ａ１：胴部
１：帯
１１：折り部
１２：帯表
１３：帯裏
２：二重巻き部
２１：手先側
２２：たれ側
３：保持手段
３１：凹側ファスナ
３２：凸側ファスナ
３３：凹側ファスナ
【図１】
0003110082.tif 000003
【図２】
0003110082.tif 000004
【図３】
0003110082.tif 000005
【図４】
0003110082.tif 000006
【図５】
0003110082.tif 000007
【図６】
0003110082.tif 000008
【手続補正書】
【提出日】平成17年3月9日(2005.3.9)
【手続補正１】
【補正対象書類名】実用新案登録請求の範囲
【補正対象項目名】全文
【補正方法】変更
【補正の内容】
【実用新案登録請求の範囲】
【請求項１】
前結びに用いられる帯であって、
帯の手先側の端部からたれ側方向に向かって、胴部に略二巻き可能な長さに相当する長さの二重巻き部を有し、当該二重巻き部は、手先側からたれ側に向けて任意の部位で折り畳むことによって、着用者個々の胴部の周囲長に対応する長さの二重巻き部として構成され、着用者に巻き付ける際の二重巻き部の重合部位の両側に亘って、帯の巻き状態を雄雌係合により保持する保持部材を設けてなることを特徴とする帯。
【請求項２】
保持部材の一方を重合部位の折り部側に設け、他方を重合部位の手先側およびたれ側の双方に設け、折り畳みの位置を変更した際に手先側またはたれ側いずれかの保持部材が折り部側の保持部材に係合することによって、任意に設定された長さに対応可能としたことを特徴とする請求項１に記載の帯。
【請求項３】
たれ部分での帯結びに用いる飾り部を別体に有することを特徴とする請求項１または請求項２いずれか１項に記載の帯。
【手続補正２】
【補正対象書類名】明細書
【補正対象項目名】全文
【補正方法】変更
【補正の内容】
【考案の詳細な説明】
【技術分野】
【０００１】
本考案は、着物用の帯に関し、詳しくは、帯前結びに好適な帯に関する。
【背景技術】
【０００２】
従来の帯前結びに好適な帯の先行技術文献情報として、たとえば、下記特許文献１のものがある。
この帯は、胴部に巻き付ける部分を、胴部の周囲長に対応する長さの二重構造として縫製されているため、当該二重構造部分を胴部に一周巻き付けることによって、着付けになれていない着用者でも、簡単かつ迅速に二重巻きを構成することができる。
【特許文献１】特開２００４−１１５９４４号（段落〔００１１〕、〔００１７〕〔図１〕〜〔図４〕参照）
【考案の開示】
【考案が解決しようとする課題】
【０００３】
ところで、例示した特許文献１の帯は、胴部に巻き付ける部分が二重構造として縫製されているため、対応サイズ幅が極めて小さいものであり、着用者個々に異なる胴部のサイズに幅広く対応させるという点で改良点が残されている。
【０００４】
そこで、本考案は、帯前結びを簡単、かつ迅速に行える構造とした上で、着用者個々に異なる胴部のサイズに幅広く対応させることを課題とし、この課題を解決する帯の提供を目的とする。
【課題を解決するための手段】
【０００５】
上記目的を達成するために本考案は下記の技術的手段を採用する。
その技術的手段は、前結びに用いられる帯であって、
帯の手先側の端部からたれ側方向に向かって、胴部に略二巻き可能な長さに相当する長さの二重巻き部を有し、当該二重巻き部は、手先側からたれ側に向けて任意の部位で折り畳むことによって、着用者個々の胴部の周囲長に対応する長さの二重巻き部として構成され、着用者に巻き付ける際の二重巻き部の重合部位の両側に亘って、帯の巻き状態を雄雌係合により保持する保持部材を設けてなることを特徴とする帯にしたことである（第１考案）。  
【０００６】
また、保持部材の一方を重合部位の折り部側に設け、他方を重合部位の手先側およびたれ側の双方に設け、折り畳みの位置を変更した際に手先側またはたれ側いずれかの保持部材が折り部側の保持部材に係合することによって、任意に設定された長さに対応可能としたことを特徴とする（第２考案）。
本考案における保持部材は、面ファスナ、ホック等が使用できる。
また、二重巻き部における帯裏は着物に対して滑りやすい布地を用いたり、二重巻き部の内側に相当する部位には、可撓性を有する芯板を内装したりすることが好ましい。
また、多様な帯結びを構成するために、たれ部分での帯結びに用いる飾り部を別体に有する（第３考案）ことが好ましい。
【０００７】
第１考案によれば、帯前結びを簡単、かつ迅速に行える構造とした上で、着用者個々に異なる胴部のサイズに幅広く対応することができるとともに、保持手段によって、帯の巻き状態を保持できる。
また、第２考案によれば、二重巻き部の長さが変更されても帯の巻き状態を保持できる。
また、第３考案によれば、たれ部分のみで帯結びができ、さらに、飾り部を用いた帯結びもできるので、多様な帯結びを構成することができる。
【考案を実施するための最良の形態】
【０００８】
以下、本考案を実施するための最良の形態を図面に基づいて詳細に説明する。
図１ないし図３は本発明の帯１を示している。
本形態における帯１は、袋帯を例示している。
【０００９】
帯１は、手先側２１からたれ側部２２に向けて、着用者Ａの胴部Ａ１に略二巻き可能な長さに相当する長さの二重巻き部２を有している。
前記二重巻き部２は、手先側２１からたれ側２２に向けて任意の部位で折り畳むことによって、着用者Ａ個々の胴部Ａ１の周囲長に対応する長さの二重状態として構成される。
【００１０】
符号３は、帯１の巻き状態を保持する保持部材である。
本形態の保持部材３は、雄雌係合する面ファスナであり、着用者Ａへの巻き付け時における重合部位の両側に亘って設けられている。
具体的には、帯１を折り部１１で折った際における帯表１２の手先側端部面に保持部材３の凹側ファスナ３１を縫着し、同じく帯表１２に、前記凹側ファスナ３１から略胴部一周分の間隔Ｌ１をもって面ファスナの凸側ファスナ３２を縫着している。
さらに、帯裏１３には、前記凸側ファスナ３２から略胴部一周分の間隔Ｌ２をもって面ファスナの凹側ファスナ３３を縫着している。
すなわち、前記保持部材３は、着用者Ａへの巻き付け時における重合部分に二重巻き部２における。
前記凸側ファスナ３２に係合される凹側ファスナ３１，３３は、着用者Ａの胴部Ａ１の周囲長に合わせて使い分けられるものであり、二重巻き部２の折り畳み位置によって変更される。
なお、符号Ｂは、帯１を折り部１１で折った際に折られた状態を保持するための面ファスナである。
【００１１】
二重巻き部２には、着物２に対して滑りやすく、二重巻き部２における間隔Ｌ１の範囲にサテン地等の布地４を縫着してある。
符号５は、可撓性を有する芯板であり、二重巻き部２の手先側端部寄りの帯表１２に内蔵され、または、帯表１２の裏側に取り付けられている。
符号５１は、芯板５に開孔された小径孔であり、この小径孔５１によって通気性を確保している。
【００１２】
折り畳み位置の範囲Ｌ３は、前記凸側ファスナ３２の手先側縁部(最大周囲長)から、二重巻き部２の凸側ファスナ３２の手先側縁部が凹側ファスナ３１の手先側縁部と合致し、かつ凸側ファスナ３２のたれ側縁部が凹側ファスナ３３のたれ側端部と合致する(最小周囲長)までの範囲である。
すなわち、折り畳み位置を前記の範囲にすることによって、胴部に巻き付ける際に、前記凸側ファスナ３２が前記凹側ファスナ３１，３３のいずれにも合致するようになり、この範囲内で着用者Ａにとって最適な周囲長が決定される。（図４および図６参照）
そして、折り畳み位置が前記範囲であれば、前記布地４が着用者Ａの胴部Ａ１に接触するので、前結び後に帯１を回すことが容易にできる。
【００１３】
次に、前記構成の帯１の締め方を説明する。
本形態の締め方では、面ファスナにおける凹側ファスナ３１と凸側ファスナ３２とが係合する最小周囲長を例示する。
先ず、帯１の二重巻き部２に相当する部位を折り部１１で折った後、当該二重巻き部２を着用者Ａの胴部Ａ１の周囲長に対応する位置で折り畳む。（図３参照）
次に、前記二重巻き部２を、前記保持手段３を前方として胴部Ａ１に巻き付けて、凹側ファスナ３１と凸側ファスナ３２を係合可能な状態とする。（図４参照）
次に、この状態を保持したまま、凹側ファスナ３１と凸側ファスナ３２を係合させて、二重巻き部２を胴部Ａ１に対する巻き付け状態を保持する。（図５参照）
図６に示す状態は、面ファスナにおける凹側ファスナ３３と凸側ファスナ３２とが係合する最小周囲長を例示するものであり、前記二重巻き部２を、前記保持手段３を前方として胴部Ａ１に巻き付けたとき、凹側ファスナ３３と凸側ファスナ３２を係合可能な状態となる。
そして、胴部の前方において帯結びを行い、形を整えて後ろに回すことで完成する。（図示せず）
【００１４】
なお、帯結びの際には、必要に応じて飾り部（図示せず）を用いて変り結びを構成することも任意である。
また、前記飾り部は、目的とする形状の変り結びを構成するために、多様な形状および大きさに縫製されてなるものであり、前記帯と同素材および同柄でもよいし、異なる素材および異なる柄としてもよい。
【００１５】
なお、本考案の帯においては、二重巻き部を折り畳まないで通常通りの一本の帯として使用することができる。
また、本発明では前記した実施例に限定されるものではなく、実用新案登録請求の範囲に記載の各請求項の内容から逸脱しない範囲において変更が可能である。
【図面の簡単な説明】
【００１６】
【図１】本考案に係る帯の平面図。
【図２】本考案にかかる帯を折り部で折った状態を示す平面図。
【図３】二重巻き部を折り畳む状態を示す。
【図４】帯の締め方の行程図。
【図５】帯の締め方の行程図。
【図６】最小周囲長による帯締めを示す。
【符号の説明】
【００１７】
Ａ：着用者
Ａ１：胴部
１：帯
１１：折り部
１２：帯表
１３：帯裏
２：二重巻き部
２１：手先側
２２：たれ側
３：保持手段
３１：凹側ファスナ
３２：凸側ファスナ
３３：凹側ファスナ